(57)【要約】      （修正有）【課題】脱型時における意匠面の欠けの発生を効果的に防止し、手間やコストの低減を可能とする、構造物のコンクリート打設時に使用される化粧型枠を提供する。【解決手段】化粧型枠１は、樹脂で形成される板状の基材２と、基材の正面に形成され、意匠面と反転する意匠形成部５と、基材の背面に突設される外補強用リブ６及び内補強用リブ７と、を含み、意匠形成部は、基材の正面に突設されて所定の第１方向に延びる複数の第１意匠用リブ３Ａと、正面に突設されて第１方向と交差する第２方向に延びる複数の第２意匠用リブ３Ｂと、第１意匠用リブと第２意匠用リブとによって囲まれる複数の凹部４とを有し、各第１意匠用リブと各第２意匠用リブとにおける基材の正面との付け根は、アール面Ｒ２となっていることを特徴とする。【選択図】図１
0003232317.tif 000002
【実用新案登録請求の範囲】
【請求項１】
構造物の表面に所定の意匠面を形成するために使用される化粧型枠であって、
樹脂で形成される板状の基材と、
前記基材の一方の面に形成され、前記意匠面と反転する意匠形成部と、を含み、
前記意匠形成部は、前記一方の面に突設されて所定の第１方向に延びる複数の第１意匠用リブと、前記一方の面に突設されて前記第１方向と交差する第２方向に延びる複数の第２意匠用リブと、前記第１意匠用リブと前記第２意匠用リブとによって囲まれる複数の凹部とを有し、
各前記第１意匠用リブと各前記第２意匠用リブとにおける前記一方の面との付け根は，第１アール面となっていることを特徴とする化粧型枠。
【請求項２】
各前記凹部には、前記第１意匠用リブと前記第２意匠用リブとの交差により、前記第１、第２意匠用リブの基端側から突設端側へ延びて第２アール面となる４つの角部が形成されて、前記第２アール面における前記基端側のアール寸法は、前記突設端側のアール寸法よりも小さくなっていることを特徴とする請求項１に記載の化粧型枠。
【請求項３】
前記第１アール面のアール寸法は、０．５ｍｍ〜２．０ｍｍであることを特徴とする請求項１又は２に記載の化粧型枠。
【請求項４】
前記第２アール面における前記基端側のアール寸法は、３．０ｍｍ〜５．０ｍｍであることを特徴とする請求項２に記載の化粧型枠。
【請求項５】
前記第２アール面における前記突設端側のアール寸法は、４．０ｍｍ〜６．０ｍｍであることを特徴とする請求項２又は４に記載の化粧型枠。
【請求項６】
各前記第１意匠用リブと各前記第２意匠用リブとの突設高さは、２．０ｍｍ〜４．５ｍｍであることを特徴とする請求項１乃至５の何れかに記載の化粧型枠。
【請求項７】
各前記第１意匠用リブと各前記第２意匠用リブとは、延びる方向と直交する横断面形状が略台形であることを特徴とする請求項１乃至６の何れかに記載の化粧型枠。
【請求項８】
前記基材の他方の面に突設される補強用リブを含むことを特徴とする請求項１乃至７の何れかに記載の化粧型枠。
【請求項９】
請求項１乃至８の何れかに記載の化粧型枠を用いて形成された意匠面を有する構造物であって、
前記意匠面は、各前記第１意匠用リブと各前記第２意匠用リブとにより反転形成された複数の溝部と、各前記凹部により反転形成された複数の凸部とを有することを特徴とする構造物。
【請求項１０】
各前記溝部と各前記凸部とはそれぞれ塗装されていることを特徴とする請求項９に記載の構造物。
【請求項１１】
各前記溝部と各前記凸部とは、同系色で塗装されていることを特徴とする請求項１０に記載の構造物。
【考案の詳細な説明】
【技術分野】
【０００１】
本考案は、構造物のコンクリート打設時に、硬化後のコンクリートの表面に意匠を施すために使用される化粧型枠と、その化粧型枠を用いて形成された意匠面を備える構造物とに関する。
【背景技術】
【０００２】
外壁としてタイル張り壁が施工された構造物では、建築基準法の規定により、タイルの剥離や脱落を未然に防ぐための定期的な調査が義務づけられ、保守のためのランニングコストが増加している。
そこで、近年では、コンクリートの表面にタイル模様やレンガ模様等の意匠を直接施すことで、タイルなどの外壁材を不要とする構造物が注目されている。このような施工を行う際には、型枠の内面（コンクリート打設面）に対応する模様を施した化粧型枠が使用されている。この化粧型枠として、本件出願人は、特許文献１において、板状の基材の正面に、意匠用リブを格子状に突設することで、タイル模様と反転する意匠形成部を備えた考案を提供している。
【先行技術文献】
【特許文献】
【０００３】
【特許文献１】実用新案登録第３２２０２４４号公報
【考案の概要】
【考案が解決しようとする課題】
【０００４】
上記特許文献１の化粧型枠では、脱型の際、意匠形成部にコンクリートが付着して意匠面に欠けが生じるおそれがある。この欠けは、タイル模様の外縁となる意匠用リブの付け根部分や、タイル模様の角部となる意匠用リブ同士の交差部分に生じやすい。このため、欠けた意匠面を補修したり、化粧型枠に付着したコンクリートを除去したりする手間やコストがかさんでしまう。
【０００５】
そこで、本考案は、脱型時における意匠面の欠けの発生を効果的に防止でき、手間やコストの低減が可能となる化粧型枠及び構造物を提供することを目的としたものである。
【課題を解決するための手段】
【０００６】
上記目的を達成するために、請求項１に記載の考案は、構造物の表面に所定の意匠面を形成するために使用される化粧型枠であって、
樹脂で形成される板状の基材と、基材の一方の面に形成され、意匠面と反転する意匠形成部と、を含み、
意匠形成部は、一方の面に突設されて所定の第１方向に延びる複数の第１意匠用リブと、一方の面に突設されて第１方向と交差する第２方向に延びる複数の第２意匠用リブと、第１意匠用リブと第２意匠用リブとによって囲まれる複数の凹部とを有し、
各第１意匠用リブと各第２意匠用リブとにおける一方の面との付け根は，第１アール面となっていることを特徴とする。
請求項２に記載の考案は、上記構成において、各凹部には、第１意匠用リブと第２意匠用リブとの交差により、第１、第２意匠用リブの基端側から突設端側へ延びて第２アール面となる４つの角部が形成されて、第２アール面における基端側のアール寸法は、突設端側のアール寸法よりも小さくなっていることを特徴とする。
請求項３に記載の考案は、上記構成において、第１アール面のアール寸法は、０．５ｍｍ〜２．０ｍｍであることを特徴とする。
請求項４に記載の考案は、上記構成において、第２アール面における基端側のアール寸法は、３．０ｍｍ〜５．０ｍｍであることを特徴とする。
請求項５に記載の考案は、上記構成において、第２アール面における突設端側のアール寸法は、４．０ｍｍ〜６．０ｍｍであることを特徴とする。
請求項６に記載の考案は、上記構成において、各第１意匠用リブと各第２意匠用リブとの突設高さは、２．０ｍｍ〜４．５ｍｍであることを特徴とする。
請求項７に記載の考案は、上記構成において、各第１意匠用リブと各第２意匠用リブとは、延びる方向と直交する横断面形状が略台形であることを特徴とする。
請求項８に記載の考案は、上記構成において、基材の他方の面に突設される補強用リブを含むことを特徴とする。
上記目的を達成するために、請求項９に記載の考案は、請求項１乃至８の何れかに記載の化粧型枠を用いて形成された意匠面を有する構造物であって、
意匠面は、各第１意匠用リブと各第２意匠用リブとにより反転形成された複数の溝部と、各凹部により反転形成された複数の凸部とを有することを特徴とする。
請求項１０に記載の考案は、上記構成において、各溝部と各凸部とはそれぞれ塗装されていることを特徴とする。
請求項１１に記載の考案は、上記構成において、各溝部と各凸部とは、同系色で塗装されていることを特徴とする。
【考案の効果】
【０００７】
本考案によれば、各第１意匠用リブと各第２意匠用リブとにおける基材の一方の面との付け根を第１アール面としているので、脱型時における意匠面の欠けの発生を効果的に防止でき、手間やコストの低減が可能となる。
また、構造物では、欠けがない良好な意匠面を得ることができる。
請求項２に記載の考案によれば、上記効果に加えて、各凹部には、第２アール面となる４つの角部が形成されて、第２アール面における基端側のアール寸法を、突設端側のアール寸法よりも小さくしているので、凹部の角部での欠けを効果的に防止可能となる。
請求項３に記載の考案によれば、上記効果に加えて、第１アール面のアール寸法を、０．５ｍｍ〜２．０ｍｍとしているので、欠け防止に効果的なアール寸法が選択でき、意匠上の美感も良好となる。
請求項４及び５に記載の考案によれば、上記効果に加えて、第２アール面における基端側のアール寸法を、３．０ｍｍ〜５．０ｍｍとし、突設端側のアール寸法を、４．０ｍｍ〜６．０ｍｍとしているので、凹部の角部での欠け防止に効果的となり、意匠上の美感も良好となる。
請求項６に記載の考案によれば、上記効果に加えて、各第１意匠用リブと各第２意匠用リブとの突設高さを、２．０ｍｍ〜４．５ｍｍとしているので、欠け防止を図りつつタイル模様の意匠性を向上させることができる。意匠面における溝部と凸部との塗装時の塗り分けも容易に行える。また、意匠面における溝部と凸部とを同系色で塗装した場合であっても、陰影により目地として認識することができる。
請求項７に記載の考案によれば、上記効果に加えて、各第１意匠用リブと各第２意匠用リブとにおいて、延びる方向と直交する横断面形状を略台形としているので、脱型が容易に行える。
請求項８に記載の考案によれば、上記効果に加えて、基材の他方の面に補強用リブを設けたことで、樹脂で形成される基材であっても必要な強度を確保できる。
請求項１０に記載の考案によれば、上記効果に加えて、各溝部と各凸部とをそれぞれ塗装するので、任意のタイル模様に近い意匠面を得ることができる。
請求項１１に記載の考案によれば、上記効果に加えて、各溝部と各凸部とをそれぞれ同系色で塗装するので、実際のタイル模様に近い意匠面を得ることができる。
【図面の簡単な説明】
【０００８】
【図１】化粧型枠の斜視図で、（Ａ）は正面から、（Ｂ）は背面から見た状態をそれぞれ示す。
【図２】化粧型枠の正面図である。
【図３】（Ａ）は化粧型枠の正面の一部拡大図、（Ｂ）はＡ−Ａ線断面図である。
【図４】化粧型枠の背面図である。
【図５】化粧型枠の中央縦断面図である。
【図６】化粧型枠の施工状態を示す斜視図である。
【図７】化粧型枠の変更例を示す中央縦断面図である。
【考案を実施するための形態】
【０００９】
以下、本考案の実施の形態を図面に基づいて説明する。
図１は、化粧型枠の一例を示す正面及び背面からの斜視図である。
この化粧型枠１は、正面視が縦長矩形状の板状の基材２を有し、熱可塑性樹脂であるポリプロピレンに補強繊維であるガラス繊維を混合してなる材料によって所定の板厚でプレス成形されている。
また、コンクリート打設側となる基材２の正面には、図２にも示すように、左右方向に等間隔をおいて上下方向（第１方向）に延びる第１意匠用リブ３Ａ，３Ａ・・と、第１意匠用リブ３Ａ，３Ａ・・と直交状に交差し、上下方向に等間隔をおいて左右方向（第２方向）に延びる第２意匠用リブ３Ｂ，３Ｂ・・とが突設されている。ここでは左右方向の第２意匠用リブ３Ｂ，３Ｂ同士の上下の間隔が、上下方向の第１意匠用リブ３Ａ，３Ａ同士の左右の間隔よりも小さくなっている。
【００１０】
こうして格子状に交差する各第１、第２意匠用リブ３Ａ，３Ｂにより、基材２の正面には、各第１、第２意匠用リブ３Ａ，３Ｂに囲まれる横長矩形状の複数の凹部４，４・・が形成される。
よって、基材２の正面には、コンクリートの意匠面となるタイル模様と反転する意匠形成部５が形成される。
【００１１】
ここでの第１、第２意匠用リブ３Ａ，３Ｂの基材２からの突設高さは、２．０ｍｍ〜４．５ｍｍとなっており、横断面形状は、図３に示すように、突出側へ行くに従って幅が小さくなる略台形となっている。但し、基材２の外周に形成される第１、第２意匠用リブ３Ａ，３Ｂは、それぞれ幅方向に２分割されており、化粧型枠１，１同士を上下又は左右に並べると、隣接する半分同士で第１、第２意匠用リブ３Ａ，３Ｂが形成されるようになっている。
また、第１、第２意匠用リブ３Ａ，３Ｂの突設端の稜線には、アール面Ｒ１がそれぞれ形成されている。さらに、第１、第２意匠用リブ３Ａ，３Ｂの基端（基材２との付け根）にも、アール面Ｒ２がそれぞれ形成されている。この各アール面Ｒ１，Ｒ２のアール寸法は、例えば０．５ｍｍ〜２．０ｍｍの範囲内で設定されている。
さらに、各凹部４の角部となる各第１意匠用リブ３Ａ，３Ｂの交差部にも、アール面Ｒ３がそれぞれ形成されている。このアール面Ｒ３のアール寸法は、基端側のアール寸法Ｒ３ａ（例えば３．０ｍｍ〜５．０ｍｍ）よりも、突設端側のアール寸法Ｒ３ｂ（４．０ｍｍ〜６．０ｍｍ）の方が大きくなる設定となっている。
【００１２】
一方、基材２の背面には、図４にも示すように、外縁の全周に亘って外補強用リブ６，６・・が突設されている。また、外補強用リブ６，６・・で囲まれる基材２の背面には、第１方向である上下方向及びこれと直交する第２方向である左右方向に沿って延び、外補強用リブ６，６間を連結する内補強用リブ７，７・・が突設されている。この外補強用リブ６と内補強用リブ７とにより、基材２の背面には、格子状の補強部８が形成されている。但し、上下方向に延びる内補強用リブ７，７は、基材２の左右方向の中央で、左右の間隔が狭くなるように配置されている。
基材２の正面側の凹部４には、図３に示すように、外補強用リブ６或いは内補強用リブ７と重なる位置で、桟木等へのネジ止め用の下穴９，９・・が形成されている（図１，４では省略）。
【００１３】
また、図５に示すように、ここでは基材２の板厚方向の厚さＳ（ここでは４ｍｍ）は、補強部８の板厚方向の厚さＳ１（ここでは８ｍｍ）よりも小さくなっている。
また、基材２の厚さＳは、意匠形成部５の板厚方向の厚さＳ２（ここでは３．５ｍｍ）よりも大きくなっている。
さらに、補強部８の厚さＳ１は、意匠形成部５の厚さＳ２よりも大きくなっている。
そして、補強部８の各補強用リブ６，７の幅Ｗ１（ここでは３０ｍｍ）は、意匠用リブ３Ａ，３Ｂの幅Ｗ２（ここでは７ｍｍ）よりも大きくなっている。
【００１４】
以上の如く構成された化粧型枠１は、そのまま或いは必要に応じてカットした状態で、図６に示すように、背面に上下方向の桟木１０，１０・・を、左右方向に所定間隔をおいて下穴９，９・・の位置でネジ止めし、構造物のコンクリートの打設領域に合わせて複数枚を組み合わせる。そして、各化粧型枠１の桟木１０を、背面側で左右方向に配設したパイプ１１，１１・・に接続して一体化する。これを鉄筋１２を配筋した打設位置に、コンクリートの意匠面となる側に正面（意匠形成部５）を対向させて建て込む。一方、鉄筋１２を挟んだ反対側では、同様に背面に桟木１０とパイプ１１とが組み付けられる合板製等の型枠１３を建て込む。
そして、化粧型枠１と型枠１３との間にセパレータ１４，１４・・を貫通させて、各セパレータ１４の端部にそれぞれ設けたフォームタイ（登録商標）１５，１５をパイプ１１に外側から係止させて化粧型枠１及び型枠１３を固定した後、化粧型枠１と型枠１３との間にコンクリートを打設する。
【００１５】
コンクリートの硬化後、化粧型枠１及び型枠１３を脱型すると、化粧型枠１側のコンクリートの表面には、化粧型枠１の意匠形成部５が反転した、複数の溝部と複数の凸部とからなるタイル模様の意匠面が形成される。
この脱型の際、意匠形成部５の各第１、第２意匠用リブ３Ａ，３Ｂの付け根には、アール面Ｒ２が形成され、各凹部４の角部には、アール面Ｒ３が形成されているので、意匠面に欠けが発生しにくくなる。よって、欠けた意匠面を補修したり、化粧型枠に付着したコンクリートを除去したりする手間が生じなくなる。
また、意匠面には、各溝部及び各凸部にそれぞれ同じ色或いは同系色で塗装を施せば、タイル模様の見栄えがよくなる。
なお、脱型した化粧型枠１は、桟木１０やパイプ１１を取り外した後、或いは桟木１０を取り付けた状態で、損傷等が生じない限り、繰り返し使用できる。
【００１６】
このように、上記形態の化粧型枠１によれば、樹脂で形成される板状の基材２と、基材２の正面（一方の面）に形成され、意匠面と反転する意匠形成部５と、を含み、意匠形成部５は、基材２の正面に突設されて所定の第１方向に延びる複数の第１意匠用リブ３Ａと、正面に突設されて第１方向と交差する第２方向に延びる複数の第２意匠用リブ３Ｂと、第１意匠用リブ３Ａと第２意匠用リブ３Ｂとによって囲まれる複数の凹部４とを有し、各第１意匠用リブ３Ａと各第２意匠用リブ３Ｂとにおける基材２の正面との付け根は，アール面Ｒ２（第１アール面）となっている。
この構成により、脱型時における意匠面の欠けの発生を効果的に防止でき、手間やコストの低減が可能となる。
【００１７】
特にここでは、各凹部４には、第１意匠用リブ３Ａと第２意匠用リブ３Ｂとの交差により、第１、第２意匠用リブ３Ａ，３Ｂの基端側から突設端側へ延びてアール面Ｒ３（第２アール面）となる４つの角部が形成されて、基端側のアール寸法Ｒ３ａは、突設端側のアール寸法Ｒ３ｂよりも小さくなっている。よって、凹部４の角部での欠けを効果的に防止可能となる。
また、アール面Ｒ２のアール寸法を、０．５ｍｍ〜２．０ｍｍとしたことで、欠け防止に効果的なアール寸法が選択でき、意匠上の美感も良好となる。
また、アール面Ｒ３における基端側のアール寸法Ｒ３ａを、３．０ｍｍ〜５．０ｍｍとし、突設端側のアール寸法Ｒ３ｂを、４．０ｍｍ〜６．０ｍｍとしたことで、凹部４の角部での欠け防止に効果的となり、意匠上の美感も良好となる。
【００１８】
また、各第１意匠用リブ３Ａと各第２意匠用リブ３Ｂとの突設高さを、２．０ｍｍ〜４．５ｍｍとしているので、欠け防止を図りつつタイル模様の意匠性を向上させることができる。意匠面における溝部と凸部との塗装時の塗り分けも容易に行える。また、意匠面における溝部と凸部とを同系色で塗装した場合であっても、陰影により目地として認識することができる。
また、各第１意匠用リブ３Ａと各第２意匠用リブ３Ｂとにおいて、延びる方向と直交する横断面形状を略台形としているので、脱型が容易に行える。
【００１９】
そして、上記形態の化粧型枠１を用いて形成された意匠面を有するコンクリート（構造物）では、当該意匠面が、各第１意匠用リブ３Ａと各第２意匠用リブ３Ｂとにより反転形成された複数の溝部と、各凹部４により反転形成された複数の凸部とを有することで、タイル模様に欠けがない良好な意匠面を得ることができる。
特に、各溝部と各凸部とをそれぞれ同じ色或いは同系色で塗装すれば、実際のタイル模様に近い意匠面を得ることができる。なお、各溝部と各凸部とを同系色で塗装する場合、通常、各溝部と各凸部とを含む全面が同一の下塗塗料で下塗りされ、その後、各凸部のみが下塗塗料と同系色の上塗り塗料で上塗りされる。
【００２０】
上記形態の化粧型枠１では、基材２の背面（他方の面）に突設される外補強用リブ６及び内補強用リブ７（補強用リブ）を含む構成として、樹脂製であっても必要な強度を確保するようにしている。しかし、この構成に限らず、図７に示す化粧型枠１Ａのように、外補強用リブ６及び内補強用リブ７（補強用リブ）のない、背面がフラットな基材２Ａとすることもできる。この基材２Ａの厚みは上記形態の基材２よりも大きくしているが、同じであってもよい。樹脂材料の採用により一定の軽量化が図られているため、この化粧型枠１Ａも取り扱いに支障のない範囲で採用することができる。特に、化粧型枠１Ａは、使用する樹脂材料の強度特性や型枠の規格寸法等に応じて、取り扱いが可能な範囲の重量に抑えられる場合に採用することができる。
【００２１】
なお、第１、第２意匠用リブの数や間隔は上記形態に限らず、必要な意匠面に応じて適宜変更可能である。上下左右の格子状に限らず、斜め方向の格子状でもよい。各アール面の寸法設定も上記形態に限らない。
一方、補強部自体を省略して基材の背面をフラットとすることもできる。
また、基材と意匠形成部と補強部との厚みの関係も上記形態に限らず、意匠形成部の意匠面によっては、基材の板厚方向の厚さを、意匠形成部の板厚方向の厚さよりも大きくする等、厚みや幅の関係を上記形態と変更してもよい。基材の全体形状では、横長矩形状や正方形状等も採用できる。
さらに、化粧型枠の材料は上記形態に限らず、任意の熱可塑性樹脂や補強繊維を採用することができる。補強繊維を混合しない樹脂単体も適用可能である。
【符号の説明】
【００２２】
１，１Ａ・・化粧型枠、２，２Ａ・・基材、３Ａ・・第１意匠用リブ、３Ｂ・・第２意匠用リブ、４・・凹部、５・・意匠形成部、６・・外補強用リブ、７・・内補強用リブ、８・・補強部、１０・・桟木、１１・・パイプ、２０・・コンクリート、Ｒ１〜Ｒ３・・アール面。
【図１】
0003232317.tif 000003
【図２】
0003232317.tif 000004
【図３】
0003232317.tif 000005
【図４】
0003232317.tif 000006
【図５】
0003232317.tif 000007
【図６】
0003232317.tif 000008
【図７】
0003232317.tif 000009